(57)【要約】【課題】小型で強度が高く、かつ生産性の高い固定装置を提供できるようにする。【解決手段】扉が完全に閉められてロックシャフト１０２の先端部がロックプレートに挿入されて停まると、ロックプレート１４１は、スプリング１４２−１により付勢されているため、ロックプレート１４１の下側の端部が図中左方向にやや移動する。ロックシャフト１０２の先端部がロックプレート１４１の穴に挿入された状態で、ロックプレート１４１が垂直の状態からやや傾いた状態になると、ロックシャフト１０２の先端部がロックプレート１４１の穴に嵌合して抜けなくなるため、ハウジング１０１はその位置から移動できないので、扉を動かすことができなくなる。扉を開く場合、カム２０１を回動させることで、リセットレバー１２１がリセットプレート１２１を右方向に移動させ、ロックプレート１４１が垂直の状態になり、嵌合が解除される。【選択図】図１２
2007186911.tif 000002
【特許請求の範囲】
【請求項１】
ロックシャフトと、前記ロックシャフトを嵌合するハウジングと、前記ロックシャフトと前記ハウジングの嵌合を解除させるリセット部とを含むロックシャフト固定装置であって、
前記ハウジングは、
前記ロックシャフトの先端部が挿入される矩形のロックプレートであって、中央に前記ロックシャフトの先端部の断面と等しい形状の穴を有するロックプレートと、
前記ロックプレートの、前記矩形のいずれか一辺に対応する端部を、前記ロックシャフトの挿入方向と平行な方向であって、前記ロックシャフトが前記ハウジングから抜かれる方向に付勢するスプリングとを備え、
前記リセット部は、
前記ロックプレートの、前記スプリングにより付勢されている端部に当接して前記ロックシャフトの挿入方向に移動するリセットプレートと、
前記リセットプレートの一部と当接して前記リセットプレートを前記ロックシャフトの挿入方向に移動させるリセットレバーとを備える
ロックシャフト固定装置。
【請求項２】
前記ロックプレートは、前記穴に挿入された前記ロックシャフトの先端部と当接する部位が円筒形のロッドにより構成される
請求項１に記載のロックシャフト固定装置。
【請求項３】
前記ロッドが、前記ロックプレートの所定の部位に圧入される
請求項２に記載のロックシャフト固定装置。
【請求項４】
前記ロックプレートが上下割の金型により製造される
請求項３に記載のロックシャフト固定装置。
【請求項５】
前記リセットレバーは、一部がユーザにより操作されるカムに当接して前記ロックシャフトの挿入方向と直交する方向に移動することに伴って、前記リセットプレートの一部と当接する端部が前記ロックシャフトの挿入方向に移動する
請求項１に記載のロックシャフト固定装置。
【請求項６】
前記カムは、シリンダ錠の出力軸に取り付けられ、前記シリンダ錠の開錠に伴って回転することで前記リセットレバーの一部を、前記ロックシャフトの挿入方向と直交する方向に移動させる
請求項５に記載のロックシャフト固定装置。
【請求項７】
ロックシャフトを嵌合して固定するハウジングであって、
前記ロックシャフトの先端部が挿入される矩形のロックプレートであって、中央に前記ロックシャフトの先端部の断面と等しい形状の穴を有するロックプレートと、
前記ロックプレートの、前記矩形のいずれか一辺に対応する端部を、前記ロックシャフトの挿入方向と平行な方向であって、前記ロックシャフトが前記ハウジングから抜かれる方向に付勢するスプリングとを備る
ハウジング。
【請求項８】
前記ロックプレートは、前記穴に挿入された前記ロックシャフトの先端部と当接する部位が円筒形のロッドにより構成される
請求項７に記載のハウジング。
【請求項９】
前記ロッドが、前記ロックプレートの所定の部位に圧入される
請求項８に記載のハウジング。
【請求項１０】
前記ロックプレートが上下割の金型により製造される
請求項９に記載のハウジング。
【発明の詳細な説明】
【技術分野】
【０００１】
本発明は、ロックシャフト固定装置およびハウジングに関し、小型で強度が高く、かつ生産性の高い固定装置を提供できるようにするロックシャフト固定装置およびハウジングに関する。
【背景技術】
【０００２】
遊技場の遊技機、いわゆる、パチンコ店のパチンコ台などには、第三者による、不正な操作を防止するための仕組みが用いられている。例えば、従来の遊技機は、遊技機に取り付けられたシリンダ錠などにより遊技機の扉が施錠された後、遊技機の扉を、遊技機の台枠に固定するために、シリンダ錠の施錠または開錠に伴って動作する竿が設けられており、遊技機の上部において、扉に固定された竿の一部が台枠と係合し、扉を台枠に固定するように構成されている。しかしながら、このような竿を用いて扉を台枠に固定している場合、扉と台枠のわずかな隙間から工具などが挿入され、扉が不正に開かれてしまうことが懸念されている。
【０００３】
そこで、遊技機などの扉が不正に開かれることがないように、例えば、遊技機の扉に固定されたハウジングに、遊技機の台枠に固定されたロックシャフトを嵌合させ、遊技機に取り付けられたシリンダ錠などにより扉が施錠された後、無理に扉が開かれることがないように、台枠と扉とを固定する方法が用いられる。
【０００４】
このように、遊技機の扉に固定されたハウジングに、遊技機の台枠に固定されたロックシャフトを嵌合させて台枠と扉とを固定する場合、例えば、ビスを用いることなく、内外のドア用レバーハンドルを連結させる方式（例えば、特許文献１参照）などを応用して機構を実現することができる。
【特許文献１】特許第２７０６０５５号公報
【発明の開示】
【発明が解決しようとする課題】
【０００５】
しかしながら、特許文献１の技術では、ロック強度を確保するため心棒の周面に複数の係止溝が設けられているが、このような構造は、部品の加工が難しくなるとともに、扉と台枠の固定位置が係止溝の位置に対応して段階的に定まることになり、ガタが発生する恐れがある。
【０００６】
本発明は、このような状況に鑑みてなされたものであり、小型で強度が高く、かつ生産性の高い固定装置を提供できるようにするものである。
【課題を解決するための手段】
【０００７】
本発明によるロックシャフト固定装置は、ロックシャフトと、ロックシャフトを嵌合するハウジングと、ロックシャフトとハウジングの嵌合を解除させるリセット部とを含むロックシャフト固定装置であって、ハウジングは、ロックシャフトの先端部が挿入される矩形のロックプレートであって、中央にロックシャフトの先端部の断面と等しい形状の穴を有するロックプレートと、ロックプレートの、矩形のいずれか一辺に対応する端部を、ロックシャフトの挿入方向と平行な方向であって、ロックシャフトがハウジングから抜かれる方向に付勢するスプリングとを備え、リセット部は、ロックプレートの、スプリングにより付勢されている端部に当接してロックシャフトの挿入方向に移動するリセットプレートと、リセットプレートの一部と当接してリセットプレートをロックシャフトの挿入方向に移動させるリセットレバーとを備える。
【０００８】
本発明によるロックシャフト固定装置においては、ロックシャフトの先端部が挿入され、中央にロックシャフトの先端部の断面と等しい形状の穴を有する矩形のロックプレートの、矩形のいずれか一辺に対応する端部がロックシャフトの挿入方向と平行な方向であって、ロックシャフトがハウジングから抜かれる方向にスプリングにより付勢され、リセットプレートによりロックプレートの、スプリングにより付勢されている端部がロックシャフトの挿入方向に移動させられ、リセットレバーによりリセットプレートがロックシャフトの挿入方向に移動させられる。
【０００９】
従って、ガタが少なく、簡単に扉を開閉できるようにするロックシャフト固定装置を実現することができる。
【００１０】
前記ロックプレートは、穴に挿入されたロックシャフトの先端部と当接する部位が円筒形のロッドにより構成されるようにすることができる。
【００１１】
前記ロッドが、前記ロックプレートの所定の部位に圧入されるようにすることができる。
【００１２】
従って、強度を高めることができる。
【００１３】
前記ロックプレートが上下割の金型により製造されるようにすることができる。
【００１４】
従って、生産性を高めることができる。
【００１５】
前記リセットレバーは、一部がユーザにより操作されるカムに当接してロックシャフトの挿入方向と直交する方向に移動することに伴って、リセットプレートの一部と当接する端部がロックシャフトの挿入方向に移動するようにすることができる。
【００１６】
前記カムは、シリンダ錠の出力軸に取り付けられ、シリンダ錠の開錠に伴って回転することでリセットレバーの一部を、前記ロックシャフトの挿入方向と直交する方向に移動させるようにすることができる。
【００１７】
したがって、シリンダ錠による扉の開錠または施錠と連動して操作することができる。
【００１８】
本発明によるハウジングは、ロックシャフトを嵌合して固定するハウジングであって、ロックシャフトの先端部が挿入される矩形のロックプレートであって、中央にロックシャフトの先端部の断面と等しい形状の穴を有するロックプレートと、ロックプレートの、矩形のいずれか一辺に対応する端部を、ロックシャフトの挿入方向と平行な方向であって、ロックシャフトがハウジングから抜かれる方向に付勢するスプリングとを備る。
【００１９】
本発明によるハウジングにおいては、中央にロックシャフトの先端部の断面と等しい形状の穴を有する矩形のロックプレートの、矩形のいずれか一辺に対応する端部がロックシャフトの挿入方向と平行な方向であって、ロックシャフトがハウジングから抜かれる方向にスプリングにより付勢される。
【００２０】
従って、ガタが少なくなるように、ロックシャフトを固定することができる。
【発明の効果】
【００２１】
本発明によれば、小型で強度が高く、かつ生産性の高い固定装置を提供することができる。
【発明を実施するための最良の形態】
【００２２】
以下に、本発明の実施の形態について図面を参照して説明する。
【００２３】
図１は、本発明を適用したロックシャフト固定装置の構成例を示す斜視図である。同図に示されるロックシャフト固定装置１００は、例えば、遊技機などの扉が不正に開かれることがないように、遊技機の扉に固定されたハウジングに、遊技機の台枠（本体）に固定されたロックシャフトを嵌合させ、遊技機に取り付けられたシリンダ錠などにより扉が施錠された後、無理に扉が開かれることがないように、台枠と扉とを固定するものである。
【００２４】
同図において、ロックシャフト固定装置１００は、ロックシャフト１０２、およびロックシャフト１０２を台枠に固定させるロックシャフト取付ベース１０４、並びにロックシャフトを嵌合させて固定するハウジング１０１、およびハウジング１０１を扉に固定させるハウジング取付ベース１０３により構成されている。
【００２５】
また、同図において、ハウジング１０１は、説明の便宜上、内部が透視できるように表現されており、ロックシャフトが挿入される四角枠の形状のロックプレート１４１と、ロックプレート１４１の下側の端部を所定の方向に付勢するスプリング１４２−１と１４２−２が内部に設けられている。
【００２６】
ハウジング取付ベース１０３には、例えば、遊技機に取り付けられたシリンダ錠の開錠または施錠などの操作に伴って、ハウジング取付ベース１０３に固定された軸を中心に矢印１３１の方向に動かされるリセットレバー１２１、およびリセットレバー１２１の動作に伴って矢印１３２の方向に動かされ、ロックプレート１４１の下側端部を所定の方向に押圧するリセットプレート１２２が設けられている。すなわち、リセットプレート１２２の一部がリセットレバー１２１の図中下側の端部と当接しているので、リセットレバー１２１が矢印１３１の方向に動かされると、リセットプレート１２２が矢印１３２の方向に動かされ、リセットプレート１２２の端部１２２ａと当接してロックプレート１４１の下側端部が所定の方向に押圧されることになる。
【００２７】
図２は、ハウジング取付ベース１０３の構成を示す斜視図である。この例では、ハウジング取付ベース１０３が、遊技機に取り付けられたシリンダ錠２００の背面に取り付けられている。なお、実際には、シリンダ錠２００とハウジング取付ベース１０３は、遊技機の扉などに固定されて取り付けられる。
【００２８】
シリンダ錠２００は、同図には図示されていないが図中右方向の面（シリンダ錠２００の正面）において鍵穴が露出するように構成されており、シリンダ錠２００に正規の鍵が鍵穴に挿入されて回動されると、シリンダ錠の内部の内周シリンダが回動してシリンダ錠２００が開錠される。シリンダ錠２００が開錠されるとき、その操作により回動させられる内周シリンダの動きに伴って、シリンダ錠２００の背面に設けられたカム２０１が、シリンダ錠２００の回転軸を中心として動く（回転する）ことになり、カム２０１の動きに伴ってリセットレバーの凸部１２１ａがカム２０１と当接して矢印１３０の方向に動かされることになる。
【００２９】
凸部１２１aは、ハウジング取付ベース１０２に、リセットレバー１２１と同じ軸で固定されており、凸部１２１ａがカム２０１と当接して矢印１３０の方向に動かされることにより、リセットレバー１２１は矢印１３１の方向に動かされる。
【００３０】
ハウジング１０１は、図３に示されるように構成されており、リセットレバー１２１の動きに伴ってリセットプレート１２２がシリンダ錠２００側（図中左側）に移動させられると、ロックプレート１４１の下側端部がスプリング１４２−１と１４２−２の付勢力に逆らってシリンダ錠２００側に動かされる。
【００３１】
ロックプレート１４１は、後述するようにロックシャフト１０２の先端部の断面とほぼ同じ形状の矩形の穴を有し、その穴にロックシャフト１０２の先端部が挿入される。穴は、ロックシャフト１０２の先端部とほぼ等しい大きさとされるので、ロックプレート１４１の下側端部がスプリング１４２−１と１４２−２により付勢されることでロックプレート１４１がやや傾くと、ロックシャフト１０２の先端部がロックプレート１４１に嵌合して抜けなくなる。
【００３２】
すなわち、ロックシャフト固定装置１００においては、扉が閉められると、ハウジング１０１の内部のロックプレート１４１にロックシャフト１０２の先端部が嵌合してロックされ、シリンダ錠２００が開錠されると、カム２０１、リセットレバー１２１、リセットプレート１２２がそれぞれ上述したように動かされ、ロックプレート１４１の下側端部がシリンダ錠２００側に押圧されてロックプレート１４１の傾きが修正され、ロックシャフト１０２の先端部とロックプレート１４１の嵌合が解除されてロックシャフト１０２の先端部がロックプレート１４１から抜けることで扉が開かれる。
【００３３】
図４は、図１乃至図３を参照して上述したロックシャフト固定装置１００が遊技機の台枠と扉に取り付けられた状態の断面図であって、遊技場に設置された遊技機の上側から見た断面図である。
【００３４】
上述したように、ロックシャフト１０２は、ロックシャフト取付ベース１０４により遊技機の台枠２１１に固定されて取り付けられており、ハウジング１０１は、ハウジング取付ベース１０３によりシリンダ錠２００の背面に位置するように、遊技機の扉２１２に固定されて取り付けられる。また、ハウジング１０１は、扉２１２が閉められた場合、ロックシャフト１０２の先端部が内部のロックプレート１４１の穴に挿入される位置に取り付けられるが、同図においては、扉２１２が開かれている状態であり、ロックシャフト１０２は、ハウジング１０１に嵌合していない。
【００３５】
図５は、図４のロックシャフト固定装置１００を別の角度から見た図であって、図４の図中下方向から見た図である。図５においては、便宜上、台枠２１１、扉２１２、ハウジング取付ベース１０３、およびロックシャフト取付ベース１０４が省略されて表示されており、ハウジング１０１の内部が透視できるように表現されている。
【００３６】
ハウジング１０１の内部は、ロックプレート１４１の上側の端部の位置を変えずに、ロックプレート１４１の下側の端部の位置のみを図中左右の方向に移動させることが可能となるように、ロックプレート１４１が装着される構成とされ、ロックプレート１４１の下側の端部をスプリング１４２−１（および１４２−２）による付勢に逆らって図中右方向に押圧した場合、ロックプレート１４１が図中で垂直となる状態まで下側の端部が右方向に移動可能となるように構成されている。
【００３７】
いまの場合、上述したように、扉２１２が開かれているので、ロックシャフト１０２は、ハウジング１０１に嵌合しておらず、ハウジング１０１の内部のロックプレート１４１は、図中下側の端部がスプリング１４２−１（および１４２−２）により付勢され、下側の端部が左方向に移動して傾いた状態となっている。
【００３８】
扉２１２が閉められる場合、扉２１２に固定されているハウジング１０１は、シリンダ錠２００などとともに図中左方向に移動されることになり、ロックシャフト１０２の図中右側に細く突き出た先端部がハウジング１０１に挿入されていくことになる。
【００３９】
このように扉２１２が閉められる場合について図６と図７を参照して説明する。
【００４０】
図６は、図4に対応する断面図であって、扉２１２が閉められている状態の断面図である。同図に示されるように、扉２１２が閉められている状態では、台枠２１２と扉２１２が接している。図７は、図６のロックシャフト固定装置１００を別の角度から見た図であって、図５に対応する図である。
【００４１】
図６と図７に示されるように、扉２１２が閉められている場合、ロックシャフト１０２の先端部がハウジング１０１のロックプレート１４１に挿入されており、ロックプレート１４１の下側の端部が図中右方向に押圧されて移動されている。すなわち、ロックプレート１４１の穴は、ロックシャフト１０２の先端部の断面とほぼ同じ形状であってほぼ同じ大きさなので、図５に示されるようにロックプレート１４１の下側の端部が図中左方向に位置して傾いている状態では、ロックシャフト１０２の先端部がロックプレート１４１の穴に入らないため、一旦、下側の端部が図中右方向一杯に押圧されて移動される。そして、ロックプレート１４１が図中で垂直となる状態まで下側の端部が右方向に移動されたとき、ロックシャフト１０２の先端部がロックプレート１４１の穴に入る。
【００４２】
扉２１２が閉められる動作に伴って、扉２１２に取り付けられているハウジング１０１が、図７中左方向に移動していくことになる。このとき、ロックシャフト１０２の先端部は、ロックプレート１４１の穴により深く挿入されていくが、ロックプレート１４１は、スプリング１４２−１（および１４２−２）により付勢されているため、扉２１２が閉められる動作（すなわち、ハウジング１０１の図７中左方向への移動）が少しでも停止すると、ロックプレート１４１の下側の端部が図中左方向にやや移動する（戻る）。このように、ロックシャフト１０２の先端部がロックプレート１４１の穴に挿入された状態で、ロックプレート１４１の下側の端部が図７中左方向に戻り、ロックプレート１４１が傾いた状態になると、ロックシャフト１０２の先端部がロックプレート１４１の穴に嵌合して抜けなくなるため、ハウジング１０１はその位置から図７中右方向へ移動できない。
【００４３】
すなわち、扉２１２が閉められると、ロックシャフト１０２の先端部がロックプレート１４１の穴に嵌合しているため、ハウジング１０１が取り付けられている扉２１２を動かすことができなくなる。
【００４４】
このように閉められた扉２１２を開く場合について、図８と図９を参照して説明する。
【００４５】
図８は、図4に対応する断面図であって、閉められている扉２１２が開かれる状態の断面図である。この場合、例えば、シリンダ錠２００に正規の鍵が挿入されて回動されて開錠される。同図に示されるように、シリンダ錠２００の開錠によりカム２０１も回動される。これにより、リセットレバー１２１の凸部１２１ａがカム２０１と当接して押し上げられる。図９は、図８のロックシャフト固定装置１００を別の角度から見た図であって、図５に対応する図である。
【００４６】
図９に示されるように、シリンダ錠２００の開錠によりカム２０１も回動されて、リセットレバー１２１の凸部１２１ａがカム２０１と当接して押し上げられると、リセットレバー１２１が軸１６１を中心として図中左方向（反時計回り）に動くことになる。これにより、リセットプレート１２２は、図中右側の端部がリセットレバー１２１の図中下側の端部と当接しているため、リセットレバー１２１の動きに伴って引っ張られ、図中右方向に移動する。その結果、ロックプレート１４１の下側の端部もリセットプレート１２２の端部１２２ａと当接して引っ張られ、ロックプレート１４１の下側端部がスプリング１４２−１（および１４２−２）の付勢に逆らって図中右側に移動し、ロックプレート１４１が図中で垂直となっている。
【００４７】
ロックプレート１４１が図中で垂直の状態になると、ロックシャフト１０２の先端部とロックプレート１４１の穴との嵌合が解除され、ロックシャフト１０２の先端部をロックプレート１４１から抜くことができるので、ハウジング１０１はその位置から図中右方向へ移動可能となる。
【００４８】
すなわち、シリンダ錠２００が開錠されると、ロックシャフト１０２の先端部がロックプレート１４１の穴との嵌合が解除されるため、扉を動かす（開く）ことができるようになる。
【００４９】
図１０乃至図１５を参照してさらに詳細に説明する。図１０、図１２乃至図１５は、ロックシャフト固定装置１００を図５と同様の角度から見た図であって、便宜上、台枠２１１、扉２１２、ハウジング取付ベース１０３、およびロックシャフト取付ベース１０４が省略されて表示されており、ハウジング１０１の内部が透視できるように表現されている。
【００５０】
図１０は、扉２１２が完全に閉められる前のロックシャフト固定装置１００の状態を示す図であり、図１１は、図１０の線Ａ−Ａにおけるハウジング１０１の断面図である。同図に示されるように、いまの状態では、スプリング１４２−１および１４２−２の付勢によりロックプレート１４１の下側の端部が図中左側に位置している。
【００５１】
図１０に示されるようにロックシャフト１０２の先端部がロックプレート１４１に当接しているが、ロックプレート１４１の下側の端部が図中左方向に位置して傾いている状態では、ロックシャフト１０２の先端部がロックプレート１４１の穴に入らないため、扉２１２が閉められるとき、ロックシャフト１０２の先端部は、ロックプレート１４１を図中右方向に押圧する。上述したように、ハウジング１０１の内部は、ロックプレート１４１の上側の端部の位置を変えずに、ロックプレート１４１の下側の端部の位置のみを図中左右の方向に移動させることが可能となるように、ロックプレート１４１が装着される構成とされているので、扉２１２が閉められるとき、ロックプレート１４１の下側の端部は、スプリング１４２−１（および１４２−２）による付勢に逆らって図中右方向に押圧されて移動される。
【００５２】
図１２は、扉２１２が完全に閉められたときのロックシャフト固定装置１００の状態を示す図である。
【００５３】
図１２に示されるように、扉２１２が完全に閉められると、ロックプレート１４１（の穴）にロックシャフト１０２の先端部が挿入された状態となる。そしてロックプレート１４１は、上述したようにスプリング１４２−１（および１４２−２）により付勢されているため、ロックプレート１４１の下側の端部が図中左方向にやや移動し、ロックシャフト１０２の先端部がロックプレート１４１の穴に挿入された状態で、ロックプレート１４１が垂直の状態からやや傾いた状態になる。これにより、ロックシャフト１０２の先端部がロックプレート１４１の穴に嵌合して抜けなくなるため、ハウジング１０１はその位置から図中右方向へ移動できない。
【００５４】
図１３は、閉められた扉２１２を開くためにシリンダ錠２００が開錠されているときのロックシャフト固定装置１００の状態を示す図である。同図においては、シリンダ錠２００が開錠される途中であるものとする。
【００５５】
図１３に示されるように、シリンダ錠２００の開錠の操作によりカム２０１も回動されて、リセットレバー１２１の凸部１２１ａがカム２０１と当接して押し上げられると、リセットレバー１２１が軸１６１を中心として図中左方向（反時計回り）に動くことになる。これにより、リセットプレート１２２は、図中右側の端部がリセットレバー１２１の図中下側の端部と当接しているため、リセットレバー１２１の動きに伴って引っ張られ、図中右方向に移動する。
【００５６】
図１３に示される状態から、シリンダ錠２００が完全に開錠された場合、ロックシャフト固定装置１００は、図１４に示されるような状態になる。
【００５７】
すなわち図１４に示されるように、上述したリセットプレート１２２の移動に伴って、ロックプレート１４１の下側の端部もリセットプレート１２２の端部１２２ａと当接して引っ張られ、ロックプレート１４１の下側端部がスプリング１４２−１（および１４２−２）の付勢に逆らって図中右側に移動し、ロックプレート１４１が図中で垂直となっている。
【００５８】
ロックプレート１４１が図中で垂直の状態になると、ロックシャフト１０２の先端部とロックプレート１４１の穴との嵌合が解除され、図１５に示されるように、ロックシャフト１０２の先端部をロックプレート１４１から抜くことができるので、ハウジング１０１はその位置から図中右方向へ移動可能となる。その結果、ハウジング１０１が取り付けられている扉２１２を開くことができるようになる。
【００５９】
このように、本発明のロックシャフト固定装置１００によれば、扉が完全に閉められた後、扉を動かすことができなくなるので、扉と台枠の固定位置においてガタが発生しなくなり、その結果、遊技機などが不正に操作されることが抑止される。
【００６０】
また、扉を開く場合、シリンダ錠を開錠する操作以外は必要ないので、ユーザの利便性を損なうことなく、遊技機などが不正に操作されることが抑止されるようにすることが可能となる。
【００６１】
次に、図１６乃至図１８を参照してハウジング１０１の構成について説明する。
【００６２】
図１６は、ハウジング１０１の外観を示す斜視図であり、図１７は、図１６のハウジング１０１を別の角度から見た斜視図である。図１８は、図１６に示されるハウジング１０１をさらに別の角度からみた斜視図である。
【００６３】
図１６乃至図１８に示される矩形の穴１０１ａにはロックシャフト１０２の先端部が挿入される。また、ハウジング１０１の中央のロックプレート収納部１０１ｂには、ロックプレート１４１が収納（装着）される。
【００６４】
ロックプレート収納部１０１ｂは、ロックプレート１４１の上側の端部の位置を変えずに、ロックプレート１４１の下側の端部の位置のみを移動させることが可能となるように構成されている。
【００６５】
また、ロックプレート収納部１０１ｂの後にはスプリング収納部１０１ｃが設けられており、スプリング１４２−１と１４２−２がスプリング収納部１０１ｃに収納される。
【００６６】
リセットプレート用溝１０１ｄは、ロックプレート１４１の下側の端部の移動方向と平行に設けられており、リセットプレート１２２が収納される。
【００６７】
図１９は、ロックプレート１４１の構成を示す斜視図である。同図に示されるように、ロックプレート１４１は、中央が矩形の穴とされ、四角形の枠のような形で構成されている。ロッド収納部１４１ａには、円筒形のロッド１８１−１および１８１−２がそれぞれ圧入され、圧入されたロッド１８１−１および１８１−２は、ロッド収納部１４１ａによりロックプレート１４１に対して固定される。図２０は、ロックプレート１４１においてロッド１８１−１および１８１−２がそれぞれロッド収納部１４１ａに圧入された状態を示す斜視図である。なお、同図においては便宜上、ロックプレート１４１の左上端部が切断された状態で表現されている。
【００６８】
そして、図１９に示されるロックプレート１４１のロッド収納部１４１ａに、ロッド１８１−１および１８１−２がそれぞれ圧入された状態で形成される矩形（穴）１８２は、ロックシャフト１０２の先端部の断面とほぼ同じ形状（大きさ）となるように構成される。したがって、ロックシャフト１０２の先端部がロックプレート１４１に挿入されて嵌合するとき、ロッド１８１−１とロッド１８１−２がロックシャフト１０２の先端部のそれぞれ上側の面と下側の面に当接してロックシャフト１０２を固定することになる。
【００６９】
ロックプレート１４１は、例えば、上下割の金型を用いて製造される。図２１は、ロックプレート１４１の縦断面図であって、ロックプレート１４１の構造を説明する図である。図２１において、ロックプレート１４１は、例えば、図中左上から右下に向かう斜線でハッチングされた部分は、上下割の金型を用いて製造される。
【００７０】
上述したロッド収納部１４１ａは、ロッド１８１−１および１８１−２がそれぞれ圧入されて固定されるように、ロッド１８１−１または１８１−２の形状（円筒形）と同様の形状とされる必要があり、また、上述した矩形１８２は、ロックシャフト１０２の先端部の断面とほぼ同じ形状と大きさを有するように構成される必要がある。例えば、ロックプレート１４１が、図２１の図中上側半分と図中下側半分に分けられた金型により製造されると、穴１８２の形状が歪む可能性がある。また、ロックプレート１４１を、上述したロッド収納部１４１ａを含めて１つの金型により製造されるようにすることは極めて困難である。
【００７１】
そこで、ロックプレート１４１を、図２１を参照して説明したような上下割りの金型で製造する。このようにすることで、ロッド収納部１４１ａおよび矩形（穴）１８２の形状を正確に実現することが可能となり、また、ロックプレート１４１の生産性を高めることも可能となる。
【００７２】
また、ロックプレート１４１において、ロックシャフト１０２の先端部は、ロッド１８１−１とロッド１８１−２がロックシャフト１０２の先端部のそれぞれ上側の面と下側の面に当接することで固定されるので、ロックプレート１４１の強度を十分高いものとすることができる。
【００７３】
すなわち、ロックシャフト１０２の先端部と当接するロッド１８１−１と１８１−２は、円筒形なので摩擦などの力が加わっても形状が大きく変形することはなく、また、図２２に示されるように、ロッド収納部１４１ａも圧入された状態のロッド１８１−２（またはロッド１８１−１）を、ロッド１８２−２と同じ形状の曲面により保持する構成とされるので、ロッド収納部１４１ａにおける単位面積あたりの荷重を小さくすることができる。従って、ロックプレート１４１は、例えば、扉２１２が閉められた状態で無理に開かれようとするとき、ロックシャフト１０２の先端部が引っ張られることによりかかる荷重に対して充分な耐久性をもった構造とすることができる。
【００７４】
また、ロッド１８１−１および１８１−２は、それぞれ上述したように円筒形であり、ロックシャフト１０２の先端部の上側の面と下側の面は、それぞれ平面であり、ロッドまたはロックシャフトの先端部に、溝や孔などの係止部は設けられていない。このようにすることで、扉２１２の位置に応じて段階的にロックされることがなく、扉２１２が閉められたその位置でロックされることになり、ガタが発生することが抑制される。
【００７５】
ところで、遊技機においては、ゲーム中にパチンコ玉、メダルなどが払い出され、払いだされたパチンコ玉、メダルなどは、扉２１２に固定された受け皿などに蓄えられる。このように、扉２１２には、パチンコ玉、メダルなどの重量がかかるため、例えば、上下方向の位置が微妙に変化し、扉２１２の開閉時には、ロックシャフト１０２の先端部とロックプレート１４１の嵌合においてこじり（微妙な位置ずれ）が発生することがある。また、扉２１２と台枠２１１との組み付け誤差などによっても同様のこじりが発生することがある。
【００７６】
このようなこじりが発生した場合、扉２１２の開閉に伴って図２３に示されるように、ロックシャフト１０２が矢印１３３または矢印１３４の方向に動かされるような荷重がかけられることになる。
【００７７】
このような場合であっても、扉２１２の開閉が可能となるように、本発明のロックシャフト固定装置１００においては、図２４と図２５に示されるように、ロックシャフト１０２をロックシャフト取付ベース１０４に固定するボルト１７１の周囲にバネ１７２が取り付けられている。
【００７８】
これにより、図２３の矢印１３４の方向の荷重に対しては、図２４ａまたは図２４ｂに示されるように、バネ１７２が変形することでロックシャフト１０２の先端部と、ロックプレート１４１との微妙な位置ずれによる影響を吸収させることが可能となる。すなわち、図２４ａの場合、バネ１７２の図中右側が押圧されて縮んだ状態とされており、図２４ｂの場合、バネ１７２の図中左側が押圧されて縮んだ状態とされている。また、図２３の矢印１３３の方向の荷重に対しては、図２５ａまたは図２５ｂに示されるように、バネ１７２が変形することでロックシャフト１０２の先端部と、ロックプレート１４１との微妙な位置ずれによる影響を吸収させることが可能となる。すなわち、図２５ａの場合、バネ１７２の図中上側が押圧されて縮んだ状態とされており、図２５ｂの場合、バネ１７２の図中下側が押圧されて縮んだ状態とされている。
【図面の簡単な説明】
【００７９】
【図１】ロックシャフト固定装置の構成例を示す斜視図である。
【図２】図１のハウジング取付ベースの構成を示す斜視図である。
【図３】図１のハウジングの構成を示す斜視図である。
【図４】ロックシャフト固定装置が遊技機の台枠と扉に取り付けられた状態の断面図である。
【図５】図４のロックシャフト固定装置を別の角度からみた図である。
【図６】ロックシャフト固定装置が遊技機の台枠と扉に取り付けられた状態の断面図である。
【図７】図６のロックシャフト固定装置を別の角度からみた図である。
【図８】ロックシャフト固定装置が遊技機の台枠と扉に取り付けられた状態の断面図である。
【図９】図８のロックシャフト固定装置を別の角度からみた図である。
【図１０】扉が閉められるときのロックシャフト固定装置の状態を説明する図である。
【図１１】図１０の線Ａ−Ａにおける断面図である。
【図１２】扉が完全に閉められたときのロックシャフト固定装置の状態を説明する図である。
【図１３】シリンダ錠が開錠されているときのロックシャフト固定装置の状態を説明する図である。
【図１４】シリンダ錠が開錠されたときのロックシャフト固定装置の状態を説明する図である。
【図１５】扉が開かれるときのロックシャフト固定装置の状態を説明する図である。
【図１６】ハウジングの外観を示す斜視図である。
【図１７】図１６のハウジングを別の角度からみた斜視図である。
【図１８】図１６のハウジングをさらに別の角度からみた斜視図である。
【図１９】ロックプレートの構成を示す斜視図である。
【図２０】図１９のロックプレートにおいてロッドが圧入された状態を示す斜視図である。
【図２１】ロックプレートの縦断面図である。
【図２２】図２１の一部を拡大した図である。
【図２３】ロックシャフトに対してかかる荷重を説明する図である。
【図２４】ロックシャフトに対してかかる荷重を説明する図である。
【図２５】ロックシャフトに対してかかる荷重を説明する図である。
【符号の説明】
【００８０】
１００  ロックシャフト固定装置，
１０１  ハウジング，
１０１ｂ  ロックプレート収納部，
１０２  ロックシャフト，
１０３  ハウジング取付ベース，
１０４  ロックシャフト取付ベース，
１２１  リセットレバー，
１２２  リセットプレート，
１４１  ロックプレート，
１４１ａ  ロッド収納部，
１４２−１，１４２−２  スプリング，
１８１−１，１８１−２  ロッド，
２００  シリンダ錠，
２０１  カム，
２１１  台枠，
２１２  扉
【図１】
2007186911.tif 000003
【図２】
2007186911.tif 000004
【図３】
2007186911.tif 000005
【図４】
2007186911.tif 000006
【図５】
2007186911.tif 000007
【図６】
2007186911.tif 000008
【図７】
2007186911.tif 000009
【図８】
2007186911.tif 000010
【図９】
2007186911.tif 000011
【図１０】
2007186911.tif 000012
【図１１】
2007186911.tif 000013
【図１２】
2007186911.tif 000014
【図１３】
2007186911.tif 000015
【図１４】
2007186911.tif 000016
【図１５】
2007186911.tif 000017
【図１６】
2007186911.tif 000018
【図１７】
2007186911.tif 000019
【図１８】
2007186911.tif 000020
【図１９】
2007186911.tif 000021
【図２０】
2007186911.tif 000022
【図２１】
2007186911.tif 000023
【図２２】
2007186911.tif 000024
【図２３】
2007186911.tif 000025
【図２４】
2007186911.tif 000026
【図２５】
2007186911.tif 000027